(57)【要約】【課題】給水の際、取っ手１２がスムーズに倒れるようにする。【解決手段】タンク本体１の上面に注水口３を備えると共に、底面１１には回動自在の取っ手１２を備え、給水後は天地を逆にし注水口３を下にして器具本体のタンク収納部８に挿入されるようにしたものに於いて、前記取っ手１２は板状の樹脂製材料で形成し、給水状態での取っ手１２底面側に、取っ手１２の長手方向に平行な突起１５を設けたので、タンク１を洗面台や調理台に置くときの取っ手１２の回転がスムーズになり、急激に取っ手が回転して使用者を驚かしたり、タンク底面１１や取っ手１２が破損する心配もないものである。【選択図】図４
2014081162.tif 000002
【特許請求の範囲】
【請求項１】
タンク本体の上面に注水口を備えると共に、底面には回動自在の取っ手を備え、給水後は天地を逆にし注水口を下にして器具本体のタンク収納部に挿入されるようにしたものに於いて、前記取っ手は板状の樹脂製材料で形成し、給水状態での取っ手底面側に、取っ手の長手方向に平行な突起を設けたことを特徴とするカートリッジ式給水タンク。
【請求項２】
前記取っ手と突起の断面形状を略Ｔ字型に形成したことを特徴とする請求項１記載のカートリッジ式給水タンク。
【請求項３】
前記取っ手と突起の断面形状を略Ｌ字型に形成したことを特徴とする請求項１記載のカートリッジ式給水タンク。
【請求項４】
タンク本体の上面に注水口を備えると共に、底面には回動自在の取っ手を備え、給水後は天地を逆にし注水口を下にして器具本体のタンク収納部に挿入されるようにしたものに於いて、前記取っ手は板状の樹脂製材料で形成し、給水状態での取っ手底面側に、取っ手の長手方向に垂直で断面略三角形状の突起を設けたことを特徴とするカートリッジ式給水タンク。
【発明の詳細な説明】
【技術分野】
【０００１】
この発明は加湿機等の給水に用いるカ−トリッジ式給水タンクに関するものである。
【背景技術】
【０００２】
従来よりこの種のものに於いては、図９で示すように、タンク本体の注水口を上にした状態で洗面台や調理台等で水道の蛇口から直接、水道水をタンクに給水する、その後注水口に蓋をして密閉し、取っ手を持ってタンクの天地を逆にし、加湿機の設置してある部屋まで持ち運び加湿機上面のタンク挿入口から加湿機にタンクを挿入してセットするものである。（例えば、特許文献１参照）
【先行技術文献】
【特許文献】
【０００３】
【特許文献１】特開２００１−６５９３１号公報
【発明の概要】
【発明が解決しようとする課題】
【０００４】
ところでこの従来のものでは、水道水をタンクに給水する作業の際に、この状態では回動自在のタンクの取っ手が下になり、板状の取っ手底面は平坦であるため、取っ手がスムーズに倒れず図１０のように起立したままの不安定な状態で、上方から力が加わり急激に取っ手が回転したときに、使用者を驚かすことになり、度々繰り返せば樹脂製のタンク底面や取っ手が破損する心配を有するものだった。
【課題を解決するための手段】
【０００５】
この発明はこの点に着目し上記欠点を解決する為、特にその構成を、タンク本体の上面に注水口を備えると共に、底面には回動自在の取っ手を備え、給水後は天地を逆にし注水口を下にして器具本体のタンク収納部に挿入されるようにしたものに於いて、前記取っ手は板状の樹脂製材料で形成し、給水状態での取っ手底面側に、取っ手の長手方向に平行な突起を設けたものである。
【発明の効果】
【０００６】
この発明によれば、給水状態での取っ手底面側に、取っ手の長手方向に平行な突起を設けたことで、タンクを洗面台や調理台に置くときの取っ手の回転がスムーズになり、急激に取っ手が回転して使用者を驚かしたり、タンク底面や取っ手が破損する心配もないものである。
【図面の簡単な説明】
【０００７】
【図１】この発明一実施例を付したタンクを加湿機に挿入する状態の斜視図。
【図２】同取っ手を転倒し収納した状態の斜視図。
【図３】同給水状態での斜視図。
【図４】同要部の斜視図と断面図。
【図５】同第２実施例の要部斜視図と断面図。
【図６】同第３実施例の要部斜視図と断面図。
【図７】同第４実施例の要部斜視図と断面図。
【図８】同第５実施例の要部斜視図と断面図。
【図９】同第６実施例の要部斜視図と断面図。
【図１０】従来例を示す要部断面図。
【発明を実施するための形態】
【０００８】
次にこの発明に係るカ−トリッジ式給水タンクを図面に示された一実施例で説明する。
１は縦長柱状でプラスチックまたはゴム等の合成樹脂から成型され、周知の加湿機２で水道水等の給水に用いるカ−トリッジ式のタンク本体で、一壁面に螺子を形成した注水口３を突出開口している。
前記注水口３は、中央に弁装置４を、周囲の内側に螺子を形成した注水口キャップ５をネジ込むことで密閉し隙間から水漏れしないように形成されている。
【０００９】
前記加湿機２上面にはタンク挿入口６と蒸気吹出口７を設け、加湿機２内部には送風機（図示せず）やヒーター等の加湿装置（図示せず）を備え、前記蒸気吹出口７から水蒸気を放出して室内の空気を加湿する。
【００１０】
また、前記タンク挿入口６下方にはタンク収納部８を備え、水受け部（図示せず）を介して加湿装置に水を供給する。また、タンク挿入口６には中央側を支点として開閉する挿入口蓋９を備え、タンク挿入口６からホコリやゴミが侵入することを防止する。また、加湿機２の側面には吸込口１０とこの吸込口１０の内側にはエアーフィルタ（図示せず）を備えている。
【００１１】
前記タンク本体１の注水口３側の裏面（タンク底面）１１には、タンク持ち運び用の取っ手１２を回動自在に備えている、この取っ手１２はタンク本体１表面に突出した一対の回転軸１３を、取っ手１２端部に形成した一対の穴１４に挿入して取り付けられる。
【００１２】
前記取っ手１２の外側面には、長手方向に平行で、短手方向の略中央に突起１５を設けることで、洗面台や調理台で水道水をタンクに給水する作業の際、タンクを洗面台や調理台に置くときにスムーズに取っ手１２が倒れるものである。板状の取っ手１２と突起１５の断面形状は図４で示すように、略Ｔ字型に一体形成されることで、取っ手１２が調理台や洗面台の流し面１６に突き当たった時に、取っ手１２はスムーズに回転することで急激に取っ手１２が回転して使用者を驚かしたり、タンク底面１１や取っ手１２が破損する心配もないものであり、突起１５の破損の心配もないものである。
【００１３】
また、第２の実施例として図５で示すように、板状の取っ手１２と突起１５の断面形状を略Ｌ字型に形成し、取っ手１２の長手方向に平行で、短手方向の端部に突起１５を設ければ、取っ手１２の回転方向がほぼ一方向になり、より取っ手１２を安定的に回転させることができるものである。
【００１４】
また、第３の実施例として図６で示すように、板状の取っ手１２と突起１５の断面形状を略三角形状に形成し、取っ手１２の長手方向に垂直で、中央と左右に合計３カ所に略二等辺三角形の突起１５を設ければ、第１の実施例で示す突起１５よりも突起１５その物の強度は減少するが取っ手１２材料費を安くすることができるものである。
【００１５】
また、第４の実施例として図７で示すように、取っ手１２の回転軸から重心を外し、突起１５の長手方向の左右端のみに設けて、使用者が握る部分を避けて配置すれば、第１の実施例で示す突起１５よりも突起１５その物の強度は減少するが、持ちやすい取っ手１２を提供することができる。
【００１６】
また、第５の実施例として図８で示すように、取っ手１２の中央に断面形状を略直角三角形の突起１５を設ければ、突起１５その物の強度は減少するが取っ手１２材料費をより安くすることができる。
【００１７】
また、第６の実施例として図９で示すように、取っ手１２全体の使用者が握る部分の断面形状を略Ｌ字型に形成しても取っ手１２の回転をスムーズにすることができるものである。
【００１８】
このように、給水のために、タンクを洗面台や調理台に置くときの取っ手１２の回転がスムーズになり、急激に取っ手１２が回転して使用者を驚かしたり、タンク底面１１や取っ手１２が破損する心配がないものである。
【符号の説明】
【００１９】
１  タンク本体
２  加湿機
３  注油口
１１  タンク底面
１２  取っ手
１３  回転軸
１４  穴
１５  突起
【図１】
2014081162.tif 000003
【図２】
2014081162.tif 000004
【図３】
2014081162.tif 000005
【図４】
2014081162.tif 000006
【図５】
2014081162.tif 000007
【図６】
2014081162.tif 000008
【図７】
2014081162.tif 000009
【図８】
2014081162.tif 000010
【図９】
2014081162.tif 000011
【図１０】
2014081162.tif 000012